(57)【要約】【課題】ディーゼルエンジンの低速低負荷時でも、ＣＲＴを十分に活性化し得るようディーゼルエンジンの排気温度を高温に維持するとともに、低速低負荷時以外におけるエンジン性能を正常に保持する装置を提供すること。【解決手段】多気筒ディーゼルエンジンの排気弁を、排気補助カムで吸気行程の下死点付近にて所定開度開くように構成し、排気により圧縮行程前の吸気温度を高めて結果的に排気温度を上昇させる構成であって、補助カムによる排気弁リフトを主カムによる吸気弁または排気弁リフトの５〜１５％の範囲に設定したディーゼルエンジンの高排気温度維持装置。ディーゼルエンジンの低速低負荷時においてもＣＲＴを十分に活性化し、ディーゼルエンジンの排気温度を高温に維持し、低速低負荷時以外ではエンジン性能を正常に保持する。【選択図】          図３
2004285981.tif 000002
【特許請求の範囲】
【請求項１】
多気筒ディーゼルエンジンの排気弁を排気補助カムにより吸気行程の下死点付近にて所定開度開くように構成し、排気により圧縮行程前の吸気温度を高めて結果的に排気温度を上昇せしめる構成において、前記補助カムによる排気弁リフトを主カムによる吸気弁または排気弁リフトの５〜１５％の範囲に設定したことを特徴とするディーゼルエンジンの高排気温度維持装置。
【請求項２】
前記補助カムによる排気弁リフト曲線の終端を吸気弁リフト曲線の終端より手前に設定したことを特徴とする請求項１記載のディーゼルエンジンの高排気温度維持装置。
【請求項３】
前記補助カムによる排気弁リフト曲線の終端を上死点直前に設定したことを特徴とする請求項１又は請求項２記載のディーゼルエンジンの高排気温度維持装置。
【発明の詳細な説明】
【０００１】
【発明の属する技術分野】
本発明は、広くはディーゼルエンジンからの汚染物質低減の目的で使用する触媒の活性化手段に関し、更に具体的にはディーゼルエンジンの低負荷時における高排気温度維持装置に関するものである。
【０００２】
【従来の技術】
ディーゼルエンジンのエミッション、即ち窒素酸化物（ＮＯＸ）、固形排出物乃至粒子状物質（ＰＭ）、炭化水素（ＨＣ）、一酸化炭素（ＣＯ）等の排出規制に対処する手段として、連続再生トラップ〔商品名ＣＲＴ（Ｃｏｎｔｉｎｕｏｕｓ  Ｒｅｇｅｎｅｒａｔｉｖｅ  Ｔｒａｐ）を指し、以下ＣＲＴという〕を用いるのが非常に有効であることが最近認められてきている。
【０００３】
前記ＣＲＴは、ディーゼルエンジンからＮＯを選択的に排出させ、酸化触媒によりＮＯ２とし、これによってＨＣをＨ２ＯとＣＯ２に、またＣＯをＣＯ２へと無害化するとともに、トラップ内に捕集されたＰＭ（主成分はＣ）を酸化せしめ、ＣＯ２とＮＯを排出する装置である。
【０００４】
しかし、前記ＣＲＴは反応する排気温度が２６０℃〜４５０℃の範囲内においてのみ作動し、これ以外の温度ではトラップ内のＰＭは燃焼せず、ＰＭはトラップ内に堆積して背圧を高め、エンジンの運転を不能とする。
特に、アイドリング時や渋滞路走行中の低速低負荷運転時においては、ディーゼルエンジンの排気温度は前記２６０℃に達しないので、前記ＣＲＴの機能を失わせてしまう。
【０００５】
前記ＣＲＴの機能をディーゼルエンジンの低速低負荷運転時においても活発化させるための、ディーゼルエンジンの排気温度を高める手段としては、本発明者が発明した特許第９０６１９１号があり、これは同号明細書記載の如く、ディーゼルエンジンの吸気通路に絞り弁を付設し、これを絞ることによって空気量を減少させ、空気過剰率を下げて燃焼温度を高めるとともに、排気弁を補助カムにより吸気行程下死点付近で開くことによって、排気系から高温の排気を負圧となっているシリンダ内に逆流せしめ、以ってシリンダ内空気を断熱圧縮して温度上昇せしめ、また該空気が高温の排気と混合することによって、更に圧縮行程前のシリンダ内空気の温度を上昇させ、低圧縮比ディーゼルエンジンの始動を容易にする方法である。
【０００６】
しかしながら、前記の如く、排気弁を補助カムにより吸気行程下死点付近で開き、排気系から高温の排気を負圧となっているシリンダ内に逆流せしめ、以ってシリンダ内空気を断熱圧縮してさらに温度上昇せしめる場合に、前記補助カムによる排気弁のリフト及び開弁期間を如何に設定するかが、エンジン性能及び排気温度に非常に影響することが、最近本発明者の研究によって明らかになった。
【０００７】
【発明が解決しようとする課題】
よって、本発明の解決すべき課題は、ディーゼルエンジンの低速低負荷時においても上記ＣＲＴを十分に活性化し得るようディーゼルエンジンの排気温度を高温に維持するとともに、低速低負荷時以外におけるエンジン性能を正常に保持しうる装置を提供するにある。
【０００８】
【課題を解決するための手段】
前記課題を解決するための、本発明ディーゼルエンジンの高排気温度維持装置は、多気筒ディーゼルエンジンの排気弁を排気補助カムにより吸気行程の下死点付近にて所定開度開くように構成し、排気により圧縮行程前の吸気温度を高めて結果的に排気温度を上昇せしめる構成において、前記補助カムによる排気弁リフトを主カムによる吸気弁または排気弁リフトの５〜１５％の範囲に設定したことを特徴とする。
【０００９】
【発明の実施の形態】
本発明の実施の形態を図１乃至図４により詳細に説明する。
図１は発明の一例を示すもので、複数のシリンダを有するディーゼルエンジン（図の例はＶ型多気筒ディーゼルエンジンで片バンクを示す）１のシリンダヘッド２内に設けた吸気弁３及び排気弁（図示せず）は、ディーゼルエンジンの図示しないクランク軸から、周知のタイミングギヤを介して駆動されるカム軸４の主カム４ａ、４ｂにより、タペット５、プッシュロッド６、ロッカアーム７を介して開閉される。
【００１０】
前記主カムのうち４ａは吸気弁用カムであり、４ｂは排気弁用カムである。該排気弁用カム４ｂには、図２に示すようにその一部に排気補助カム４ｃが設けられており、前記吸気弁用カム４ａによって吸気弁が閉じる時期、即ち圧縮行程の開始時期に排気弁を所定開度開き、高温排気を逆流させて排気温度を高める。
【００１１】
８は一端をディーゼルエンジン１の排気マニホールド（図示せず）に連結された排気管路で、その途中に前記ＣＲＴ９及びＤｅ  ＮＯＸコンバータ１０が介装されている。
【００１２】
前記主カムである吸気弁用カム４ａ、排気弁用カム４ｂ及び排気補助カム４ｃの弁リフト曲線は、本発明の場合図３及び図４に示す如く設定されている。即ち時間の推移の順で、排気弁用カム４ｂによる弁リフト曲線Ｅと吸気弁用カム４ａによる弁リフト曲線Ｉとは、この場合リフト量Ｌが同一で、上死点ＴＤＣ付近で互いに重なっている。
【００１３】
図３における排気補助カム４ｃによる弁リフト曲線Ａは、前記弁リフト曲線Ｉの終端付近にあるように設定されている。この場合弁リフト曲線Ａのリフト量ｌは、前記主カムの弁リフト量Ｌの５〜１５％の範囲で、最終的には実験等により決定する。
【００１４】
発明者の研究によれば、排気補助カム４ｃによる弁リフト曲線Ａのリフト量ｌを、前記主カムの弁リフト量Ｌの１６％以上とするときは、ディーゼルエンジンの運転性能を悪化させることが確認されている。また、前記数値を５％未満とするときは前記所定の排気温度への上昇は全く望めない。従って、前記の如く最終的にはそのディーゼルエンジン及びＣＲＴに適合するように、実験により最適値を決定する。
【００１５】
図４に示す弁リフト曲線図では、排気補助カム４ｃによる弁リフト曲線Ａ’がその終端（図で右端）を吸気弁リフト曲線の終端より手前に設定されており、これによって排気補助カム４ｃでリフトされた排気弁の着座が円滑に行われるようになる。殊に、前記補助カム４ｃによる排気弁リフト曲線Ａ’の終端を下死点  （ＢＤＣ）直前に設定したものでは、タペット５の落下による排気弁用カム４ｂへの影響を避けられる。
【００１６】
【発明の効果】
本発明のディーゼルエンジンの高排気温度維持装置では、多気筒ディーゼルエンジンの排気弁を排気補助カムにより吸気行程の下死点付近にて所定開度開くように構成し、排気により圧縮行程前の吸気温度を高めて結果的に排気温度を上昇せしめる構成において、前記補助カムによる排気弁リフトを主カムによる吸気弁または排気弁リフトの５〜１５％の範囲に設定したことを特徴とするので、ディーゼルエンジンの低速低負荷時においても上記ＣＲＴを十分に活性化し得るよう、ディーゼルエンジンの排気温度を高温に維持しうるとともに、低速低負荷時以外におけるエンジン性能を正常に保持しうる装置を提供する効果がある。
【図面の簡単な説明】
【図１】本発明ディーゼルエンジンの高排気温度維持装置の一実施例を示す構成図
【図２】本発明ディーゼルエンジンの高排気温度維持装置に使用される吸気カム、排気カム及び排気補助カムの概略図
【図３】本発明ディーゼルエンジンの高排気温度維持装置における弁リフト曲線図
【図４】本発明ディーゼルエンジンの高排気温度維持装置における弁リフト曲線図の他の例を示すもの
【符号の説明】
１  多気筒のディーゼルエンジン
２  シリンダヘッド
３  吸気弁
４ａ  吸気弁用カム（主カム）
４ｂ  排気弁用カム（主カム）
４ｃ  排気補助カム
４  吸気マニホールド
５  タペット
６  プッシュロッド
７  ロッカアーム
８  排気管路
９  ＣＲＴ
１０  Ｄｅ  ＮＯｘコンバータ。
【図１】
2004285981.tif 000003
【図２】
2004285981.tif 000004
【図３】
2004285981.tif 000005
【図４】
2004285981.tif 000006